(57)【特許請求の範囲】
【請求項１】
被設置面に設置される器具本体と、
前記器具本体の、前記被設置面とは反対側の面に設けられる取付ばねと、
構造部材と、
前記構造部材の、前記被設置面側の面に設けられ、前記取付ばねに装着される取付金具と、を備え、
前記取付ばねは、前記取付金具の両側を挾み込むように弾性反発力を有する保持部を有し、
前記構造部材が前記器具本体に向けて進行されることによって、前記取付金具が前記取付ばねの前記保持部によって挟み込まれて保持され、前記取付金具および前記取付ばねが前記構造部材にさえぎられて、前記被設置面とは反対側の面である被照射面の側から見えない状態で、前記構造部材が前記器具本体に取り付けられる照明器具。
【請求項２】
請求項１に記載の照明器具において、
前記取付金具は、先端幅が狭く、中央に向かうほど幅が広くなり、中央より固定側に向かうにつれて幅が狭くなるように形成されており、
前記取付ばねは、先端側が隙間を有し、前記取付金具の両側を挟む一対の取付片部を有する照明器具。
【請求項３】
請求項２に記載の照明器具において、
前記取付ばねは、先端に前記取付片部を前記取付金具に押付けるための押付部を有する照明器具。
【請求項４】
請求項３に記載の照明器具において、
前記取付ばねは、前記器具本体への取付部分と前記押付部との間に、展開寸法を長くするための長尺部を有する照明器具。
【請求項５】
請求項１ないし請求項４のうちのいずれか１項に記載の照明器具において、
前記取付ばねは、前記器具本体への取付部分が幅広に形成される照明器具。
【請求項６】
請求項１ないし請求項５のうちのいずれか１項に記載の照明器具において、
前記取付金具は、板形状に形成される照明器具。
【請求項７】
請求項１ないし請求項６のうちのいずれか１項に記載の照明器具において、
前記取付金具は、断面形状が同一であって対向配置された板部材により形成される照明器具。
【請求項８】
請求項７に記載の照明器具において、
前記取付金具は、前記板部材の間に当たりを設ける照明器具。
【発明の詳細な説明】
【技術分野】
【０００１】
本発明は、ＬＥＤを光源として天井面に設置されるベースライトに適用される照明器具に関する。
【背景技術】
【０００２】
従来より、パネル枠に取り付けられた差込係止片が器具本体に取り付けられた板ばねに係止される照明器具が知られている（例えば、特許文献１参照）。
【先行技術文献】
【特許文献】
【０００３】
【特許文献１】実開平５−１１０９号公報（図１、請求項１）
【発明の概要】
【発明が解決しようとする課題】
【０００４】
前述した特許文献１に記載された照明器具は、差込係止片が板ばねに係止されることによりパネル枠を器具本体に容易に装着できる。
ところで、図１２に示すように、器具本体１０１に取り付けられた取付ばね１０２を弾性変形させながら反射板等の構造部材１０３を取付ばね１０２に装着する照明器具１００が提案されている。
【０００５】
このような従来の照明器具１００は、ハ字形状をなす取付ばね１０２の先端部が構造部材１０３に有するばね孔１０４に弾性変形されて挿入されることにより取付ばね１０２に蓄積された弾性復元力により構造部材１０３が器具本体１０１に保持される。構造部材１０３を器具本体１０１から取り外す場合、構造部材１０３から飛び出している取付ばね１０２の先端部を指等で摘むことにより取付ばね１０２を弾性変形させて、構造部材１０３のばね孔１０４から取付ばね１０２を抜き出して構造部材１０３が器具本体１０１から取り外される。
【０００６】
しかし、このような従来の照明器具１００は、構造部材１０３が器具本体１０１に取り付けられている状態において、取付ばね１０２の構造部材１０３から飛び出している先端部が床面側から直視されるために意匠面が良好ではない。
【０００７】
一方、従来の照明器具１００と同様に、構造部材の上部に取付ばねを設け、取付ばねを器具本体に装着することにより、構造部材が器具本体に取り付けられる照明器具が提案されている。
しかし、このような照明器具は、取付ばねの可動範囲を器具本体の厚み方向に設定しなくてはならず、それに伴い、器具本体の高さ寸法が大きくなって小型化できない。
【０００８】
本発明は、前述した課題を解決するためになされたものであり、その目的は、意匠面で良好にできるとともに小型化できる照明器具を提供することにある。
【課題を解決するための手段】
【０００９】
本発明に係る照明器具は、被設置面に設置される器具本体と、器具本体の、被設置面とは反対側の面に設けられる取付ばねと、構造部材と、構造部材の、被設置面側の面に設けられ、取付ばねに装着される取付金具と、を備え、取付ばねは、取付金具の両側を挾み込むように弾性反発力を有する保持部を有し、構造部材が器具本体に向けて進行されることによって、取付金具が取付ばねの保持部によって挟み込まれて保持され、取付金具および取付ばねが構造部材にさえぎられて、被設置面とは反対側の面である被照射面の側から見えない状態で、構造部材が器具本体に取り付けられる。
【００１０】
本発明に係る照明器具は、取付金具は、先端幅が狭く、中央に向かうほど幅が広くなり、中央より固定側に向かうにつれて幅が狭くなるように形成されており、取付ばねは、先端側が隙間を有し、取付金具の両側を挟む一対の取付片部を有する。
【００１１】
本発明に係る照明器具は、取付ばねは、先端に取付片部を取付金具に押付けるための押付部を有する。
【００１２】
本発明に係る照明器具は、取付ばねは、器具本体への取付部分と押付部との間に、展開寸法を長くするための長尺部を有する。
【００１３】
本発明に係る照明器具は、取付ばねは、器具本体への取付部分が幅広に形成される。
【００１４】
本発明に係る照明器具は、取付金具は、板形状に形成される。
【００１５】
本発明に係る照明器具は、取付金具は、断面形状が同一であって対向配置された板部材により形成される。
【００１６】
本発明に係る照明器具は、取付金具は、板部材の間に当たりを設ける。
【発明の効果】
【００１７】
本発明に係る照明器具によれば、意匠面で良好にできるとともに小型化できるという効果を奏する。
【図面の簡単な説明】
【００１８】
【図１】本発明に係る第１実施形態の照明器具の分解斜視図
【図２】図１の照明器具の取付ばねおよび取付金具周りの分解斜視図
【図３】図１の照明器具の取付ばねと取付金具との組付け前の正面図
【図４】図３の取付ばねと取付金具との組付手順を説明する第１段階の正面図
【図５】図３の取付ばねと取付金具との組付手順を説明する第２段階の正面図
【図６】図３の取付ばねと取付金具との組付手順を説明する第３段階の正面図
【図７】本発明に係る第２実施形態の照明器具に適用される取付ばねの外観斜視図
【図８】本発明に係る第３実施形態の照明器具に適用される取付ばねの外観斜視図
【図９】本発明に係る第４実施形態の照明器具に適用される取付金具の外観斜視図
【図１０】本発明に係る第５実施形態の照明器具に適用される取付金具の外観斜視図
【図１１】本発明に係る第６実施形態の照明器具に適用される取付金具の側面図
【図１２】従来の照明器具の垂直断面図
【発明を実施するための形態】
【００１９】
以下、本発明に係る複数の実施形態の照明器具について図面を参照して説明する。
(第１実施形態)
図１に示すように、第１実施形態の照明器具１０は、安定器等の点灯回路１２が取り付けられた器具本体１１と、器具本体１１に取り付けられた一対の取付ばね１３と、反射板ユニット１４と、構造部材であってＬＥＤユニット１６を有する点灯ユニット１５と、点灯ユニット１５に取り付けられ、取付ばね１３に装着される一対の取付金具１７とを備えるベースライトである。
【００２０】
器具本体１１は、長尺の板形状に形成されており、下面の両端部に取付ばね１３が取り付けられている。
反射板ユニット１４は、器具本体１１に相似する長尺の箱形状に形成されており、中央部に配置された取付金具挿入部１８の両側に一対の反射板１９を有する。
点灯ユニット１５は、長尺の略ハ字形状に形成されており、その長手方向に沿ってＬＥＤユニット１６が取り付けられている。点灯ユニット１５は、上面の両端部に取付金具１７が取り付けられている。ＬＥＤユニット１６は、不図示の基板上に実装されており、基板に有する不図示のプリント回路が点灯回路１２に電気的に接続される。
【００２１】
照明器具１０は、点灯ユニット１５が器具本体１１に向けて進行され、点灯ユニット１５の取付金具１７が、反射板ユニット１４の取付金具挿入部１８を介して反射板ユニット１４に有する不図示の取付金具孔に挿通された後に、器具本体１１の取付ばね１３に挿着されることにより、反射板ユニット１４を挟んで器具本体１１に点灯ユニット１５が一体的に組み付けられる。
【００２２】
図２および図３に示すように、取付ばね１３は、弾性を有する金属製の板部材を折曲加工することにより成形されている。取付ばね１３は、先端部に取付金具１７の両側を挾み込むように弾性反発力が設定された一対の対向する保持部２０を有し、基端部に器具本体１１への固定部２１を有する。
【００２３】
取付金具１７は、弾性を有さない金属製の板部材を折曲加工することにより、菱形に形成された挿入部２２と、点灯ユニット１５にねじ止めされる固定部２３とを有する。取付金具１７の挿入部２２は、先端が細くなっているために取付ばね１３に対して挿入しやすい。取付金具１７の挿入部２２は、先端から中央に向かうほど幅寸法が広くなっており、中央より固定部２３に向かうにつれて幅寸法が狭くなるように形成されている。
【００２４】
取付ばね１３は、先端部の保持部２０の開口の幅寸法が狭く、保持部２０から中央に向かうほど幅寸法が広い幅広中央部２４を有し、幅広中央部２４より固定部２１に向かうにつれて幅寸法が狭くなるように形成されている。固定部２１は複数の折曲部２５を有する。
従って、取付ばね１３は、取付金具１７の両側を挾み込むように弾性反発力が設定された一対の対向する保持部２０を先端部に有するために、取付金具１７を挿入しやすく、且つ、取付金具１７を外しやすい。
【００２５】
また、取付ばね１３は、幅広中央部２４が、保持部２０から中央に向かうほど幅寸法が広く形成されているために、外側に膨らむことにより展開寸法が長くなって撓み代が増大され、取付金具１７の挿入時に生ずる応力を緩和できる。
そして、取付ばね１３は、固定部２１に複数の折曲部２５を有するために、展開寸法が長くなって撓み代が増大され、取付金具１７の挿入時に生ずる応力を緩和できる。
【００２６】
取付ばね１３は、先端部の保持部２０に、一定の隙間を有して取付金具１７の両側を挟む取付片部２６を有する。
従って、取付ばね１３は、取付金具１７を挿入した際に、取付片部２６により取り付けのばらつきが吸収されるために、器具本体１１から点灯ユニット１５までの距離を所定の大きさに設定できる。
【００２７】
取付ばね１３は、保持部２０に、取付片部２６を取付金具１７に押付けるための押付部２７を有する。
従って、取付ばね１３は、取付金具１７を挿入する際に、押付部２７により取付片部２６が取付金具１７に押付けられることにより、固定部２１から保持部２０までの間が撓み変形されて取付金具１７の挿入時に生ずる応力を分散させて緩和できる。
【００２８】
図４に示すように、器具本体１１に対して点灯ユニット１５が進行されることにより、取付金具１７の挿入部２２が取付ばね１３の保持部２０にぶつかり、取付金具１７の挿入部２２が取付ばね１３の保持部２０にぶつかることにより、取付ばね１３の保持部２０が押し広げられる。
【００２９】
図５に示すように、取付金具１７の挿入部２２により取付ばね１３の保持部２０が押し広げられることにより、取付ばね１３の取付片部２６が取付金具１７の挿入部２２を挟み込むために、点灯ユニット１５を器具本体１１に近づける引上力Ｆが生ずる。
【００３０】
図６に示すように、取付ばね１３の取付片部２６により生じた引上力Ｆにより、点灯ユニット１５が器具本体１１に近づき、取付ばね１３の押付部２７により取付片部２５が取付金具１７の挿入部２２に押付けられる。
これにより、器具本体１１から点灯ユニット１５までの距離が所定の大きさに設定されて点灯ユニット１５が器具本体１１に一体的に組み付けられる。このとき、床面側からは、器具本体１１の取付ばね１３および点灯ユニット１５の取付金具１７が直視されないために、意匠面で良好にできる。
【００３１】
以上、説明した第１実施形態の照明器具１０によれば、取付ばね１３が、取付金具１７の挿入部２２の両側を挾み込むように弾性反発力が設定された一対の対向する保持部２０を先端部に有するために、取付金具１７を挿入しやすく、かつ、取付金具１７を外しやすくでき、床面側からは、器具本体１１の取付ばね１３および点灯ユニット１５の取付金具１７が直視されないために、意匠面で良好にできる。また、第１実施形態の照明器具１０によれば、従来のものと比べて、器具本体１１の高さ寸法が大きくならないので小型化できる。
【００３２】
そして、第１実施形態の照明器具１０によれば、取付ばね１３が、取付金具１７の挿入部２２を挿入した際に、取付片部２６により取り付けのばらつきが吸収されるために、器具本体１１から点灯ユニット１５までの距離を所定の大きさに設定できる。
【００３３】
さらに、第１実施形態の照明器具１０によれば、取付ばね１３が、取付金具１７の挿入部２２を挿入する際に、押付部２７により取付片部２６が取付金具１７に押付けられることにより、固定部２１から保持部２０までの間が撓み変形されて取付金具１７の挿入時に生ずる応力を分散させて緩和できる。
【００３４】
(第２実施形態)
次に、本発明に係る第２実施形態の照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００３５】
図７に示すように、取付ばね３１は、器具本体１１への固定部３２と押付部３３との間に、展開寸法を長くするための長尺部３４を有する。
長尺部３４は、固定部３２から押付部３３までの間に巻き付けられるように長い展開寸法を設定する。
【００３６】
第２実施形態の照明器具３０によれば、取付ばね３１が、固定部３２と押付部３３との間に、展開寸法を長くするための長尺部３４を有するために、撓み代が増大されて、取付金具１７の挿入時に生ずる応力を緩和できる。
【００３７】
(第３実施形態)
次に、本発明に係る第３実施形態の照明器具について説明する。
図８に示すように、取付ばね４１は、器具本体１１への固定部４２にボリュームの大きい幅広部４３を有する。
【００３８】
第３実施形態の照明器具４０によれば、取付ばね４１が、固定部４２に幅広部４３を有するために、取付金具１７の挿入時に生ずる応力を緩和できる。
【００３９】
(第４実施形態)
次に、本発明に係る第４実施形態の照明器具について説明する。
図９に示すように、取付金具５１は、器具本体１１への固定部５２の上部に、第１実施形態の取付金具１７に投影形状が同じ菱形であって板金の板厚のみにより板形状に形成されている。
【００４０】
第４実施形態の照明器具５０によれば、取付金具５１が、板金の板厚のみにより板形状に形成されているために、簡潔な構造であるので、価格面で有利であり、通常巨額を必要とする金型費を大幅に削減できる。
【００４１】
(第５実施形態)
次に、本発明に係る第５実施形態の照明器具について説明する。
図１０に示すように、取付金具６１が、断面形状が同一であって対向配置された一対の連結された板部材６２，６３により形成されている。一方の板部材６２は器具本体１１への固定部６４を有し、他方の板部材６３は、先端部が点灯ユニット１５に形成された板部材孔６５に係止されている。
【００４２】
第５実施形態の照明器具６０によれば、取付金具６１が、断面形状が同一であって対向配置された一対の連結された板部材６２，６３により形成されているために、強度を向上できる。
【００４３】
(第６実施形態)
次に、本発明に係る第６実施形態の照明器具について説明する。
図１１に示すように、取付金具７１が、断面形状が同一であって対向配置された一対の連結された板部材７２，７３により形成されている。一方の板部材７２は器具本体１１への固定部７４を有し、一方の板部材７２と他方の板部材７３との間に当たり７５が設けられている。当たり７５は、リブやブリッジや爪等を突出させて成形したものである。
なお、当たり７５は、取付金具７１とは別部品が取付金具７１に一体的に組付けられてもよい。
【００４４】
第６実施形態の照明器具７０によれば、取付金具７１が、断面形状が同一であって対向配置された一対の連結された板部材７２，７３により形成されており、板部材７２と板部材７３との間に当たり７５が設けられているために、強度をさらに向上できる。
【００４５】
なお、本発明の照明器具において器具本体，点灯回路，反射板ユニット，ＬＥＤユニット等は、前述した各実施形態に限定されるものでなく、適宜な変形や改良等が可能である。
【符号の説明】
【００４６】
１０，３０，４０，５０，６０，７０  照明器具
１１  器具本体
１３，３１，４１  取付ばね
１５  点灯ユニット（構造部材）
１７，５１，６１，７１  取付金具
２０  保持部
２６  取付片部
２７  押付部
３４  長尺部
７５  当たり
【図１】
0005610622.tif 000002
【図２】
0005610622.tif 000003
【図３】
0005610622.tif 000004
【図４】
0005610622.tif 000005
【図５】
0005610622.tif 000006
【図６】
0005610622.tif 000007
【図７】
0005610622.tif 000008
【図８】
0005610622.tif 000009
【図９】
0005610622.tif 000010
【図１０】
0005610622.tif 000011
【図１１】
0005610622.tif 000012
【図１２】
0005610622.tif 000013